(57)【要約】【課  題】腰痛などを指圧ではなく、他の手段で簡単に直すことができる健康器具を提供する。【解決手段】健康器具（１，１１）は、床（３）に転がされ、その上に背中または腰を載せた状態で仰向けに寝ころがって使用される。そして、剛性を有するとともに中実または中空の円柱状であり、その外径（Ｒ）は軸線（２）方向に略全長にわたって略同じであり、かつ、外表面は凸凹がなく滑らかである。【選択図】  図１
2004305232.tif 000002
【特許請求の範囲】
【請求項１】
床に転がされ、その上に背中または腰を載せた状態で仰向けに寝ころがって使用するための健康器具であって、
剛性を有するとともに、中実または中空の円柱状であり、
その外径は、軸線方向に略全長にわたって略同じであり、
かつ、外表面は、凸凹がなく滑らかであることを特徴とする健康器具。
【請求項２】
円筒パイプ状であることを特徴とする請求項１記載の健康器具。
【請求項３】
床に転がされ、その上に背中または腰を載せた状態で仰向けに寝ころがって使用するための健康器具であって、
剛性を有する円筒状の本体筒部およびこの本体筒部の底部を覆う円板状の底板を具備する有底円筒状の本体と、
前記本体筒部に螺合するとともに剛性を有する円筒状の蓋体筒部、この蓋体筒部の一端を覆う覆板、および、この覆板に形成されている排出口を具備して、前記本体の開口面を蓋する蓋体と、
この蓋体の排出口を蓋するキャップとを備え、
前記本体と蓋体とが螺合された状態での本体筒部および蓋体筒部の外径は、軸線方向に略全長にわたって略同じであり、かつ、その外表面は、凸凹がなく滑らかであることを特徴とする健康器具。
【請求項４】
前記本体筒部または蓋体筒部の少なくとも一方のネジ部のサイドに、本体筒部または蓋体筒部の径方向に向かって開口する凹溝がリング状に形成され、
この凹溝にＯリングが嵌め込まれ、
本体筒部に蓋体筒部を螺合した際に、Ｏリングが圧縮されて蓋体筒部の本体筒部に対する回転に摩擦力を付加することを特徴とする請求項３記載の健康器具。
【請求項５】
前記本体筒部および蓋体筒部の外周面が緩衝材で覆われていることを特徴とする請求項３または４記載の健康器具。
【請求項６】
床に転がされ、その上に背中または腰を載せた状態で仰向けに寝ころがって使用するための健康器具であって、
剛性を有するとともに中実または中空の円柱状の本体と、
この本体の外周面を覆う緩衝材とを備えていることを特徴とする健康器具。
【請求項７】
外径の直径が１００〜２００ｍｍで、長さが３００〜５００ｍｍであることを特徴とする請求項１ないし６の何れか１項記載の健康器具。
【発明の詳細な説明】
【０００１】
【発明の属する技術分野】
本発明は、腰痛などを直すための健康器具に関する。
【０００２】
【従来の技術】
従来、腰痛などを直す際には、指圧などを行っていた。
【０００３】
【発明が解決しようとする課題】
ところで、腰痛などになった際に、素人が指圧などを行うと、逆に症状が悪化することがある。
【０００４】
本発明は、以上のような課題を解決するためのもので、腰痛などを指圧ではなく、他の手段で簡単に直すことができる健康器具を提供することを目的とする。
【０００５】
【課題を解決するための手段】
本発明の健康器具（１，１１）は、床（３）に転がされ、その上に背中または腰を載せた状態で仰向けに寝ころがって使用される。そして、剛性を有するとともに中実または中空の円柱状であり、その外径（Ｒ）は軸線（２）方向に略全長にわたって略同じであり、かつ、外表面は凸凹がなく滑らかである。
【０００６】
また、円筒パイプ状であることがある。
【０００７】
そして、剛性を有する円筒状の本体筒部（２１）およびこの本体筒部の底部を覆う円板状の底板（２２）を具備する有底円筒状の本体（１２）と、前記本体筒部に螺合するとともに剛性を有する円筒状の蓋体筒部（２６）、この蓋体筒部の一端を覆う覆板（２７）、および、この覆板に形成されている排出口（１４）を具備して前記本体の開口面を蓋する蓋体（１３）と、この蓋体の排出口を蓋するキャップ（１６）とを備え、前記本体と蓋体とが螺合された状態での本体筒部および蓋体筒部の外径は、軸線方向に略全長にわたって略同じであり、かつ、その外表面は、凸凹がなく滑らかであることがある。
【０００８】
さらに、前記本体筒部または蓋体筒部の少なくとも一方のネジ部（２８）のサイドに、本体筒部または蓋体筒部の径方向に向かって開口する凹溝（２９）がリング状に形成され、この凹溝にＯリング（３１）が嵌め込まれ、本体筒部に蓋体筒部を螺合した際に、Ｏリングが圧縮されて蓋体筒部の本体筒部に対する回転に摩擦力を付加することがある。
【０００９】
また、本体筒部および蓋体筒部の外周面が緩衝材で覆われていることがある。
【００１０】
そして、健康器具（５１）が、剛性を有するとともに中実または中空の円柱状の本体（５３）と、この本体の外周面を覆う緩衝材（５２）とを備えていることがある。
さらに、健康器具は、外径の直径が１００〜２００ｍｍで、長さが３００〜５００ｍｍであることがある。
【００１１】
【発明の実施の形態】
次に、本発明における健康器具の実施の第１の形態を図１ないし図３を用いて説明する。図１は本発明における健康器具を用いて腰痛などを直す際の説明図である。図２は実施の第１の形態の健康器具の斜視図である。図３は実施の第１の形態の健康器具の断面図である。
【００１２】
健康器具１は円筒パイプ状をしており、プラスチック、厚板、ガラス、陶器、木材などの剛性を有する材料で形成されている。健康器具１の外径（直径）Ｒは１００〜２００ｍｍで、軸心である軸線２の方向に略全長にわたって略同じである。ただし、健康器具１の両端部は面取りされ、図３に図示するように、滑らかに湾曲している。
【００１３】
そして、健康器具１の外表面は、指圧用の突起などの凸凹がなく滑らかである。また、健康器具１の軸線２方向の長さＬは、３００〜５００ｍｍである。
【００１４】
この様に構成されている健康器具１で、腰痛などを直す際には、図１に図示するように、健康器具１を床３に転がし、その上に人６が背中または腰を載せた状態で仰向けに寝ころがる。そして、人６は、図１において左右方向に、仰向けの状態で健康器具１を転がしながら矢印如く往復動し、背中や腰を伸ばす。すると、腰痛などの症状が驚くほど改善する。また、その際に、人６の背中や腰を直接健康器具１に載せずに、人６と健康器具１との間に座布団などのクッション（図示しない）を介在させることも可能である。なお、健康器具１の剛性は、健康器具１の上に人６が載っても、健康器具１が殆ど変形せずに、円滑に転がることができる程度の剛性である。したがって、エアークッションなどの様に、人６が載ると変形し、円滑に転がることができないものは含まない。
【００１５】
次に、本発明における健康器具の実施の第２の形態について図４を用いて説明する。図４は実施の第２の形態の説明図で、（ａ）が断面図、（ｂ）が（ａ）の要部拡大図、（ｃ）が変形例の図である。
【００１６】
前述の実施の第１の形態では、健康器具１の重量を変更することができず、健康器具１を使用する人に合わせて変更することができなかった。そこで、実施の第２の形態では、健康器具１の重量を適宜変更することができる様に構成した。実施の第２の形態の健康器具１１は、有底円筒状の本体１２と、この本体１２に着脱可能に螺合する蓋体１３と、この蓋体１３の排出口１４に螺合して蓋をするキャップ１６とを備えている。
【００１７】
健康器具１１の本体１２および蓋体１３は、プラスチック、厚板、ガラス、陶器、木材などの剛性を有する材料で形成されている。そして、本体１２は、円筒状の本体筒部２１およびこの本体筒部２１の底部を覆う円板状の底板２２を具備している。本体筒部２１の先端部は外径が小さくなっているとともに、その外周面に雄ネジ部２３が形成されている。蓋体１３は、本体筒部２１の雄ネジ部２３に螺合する円筒状の蓋体筒部２６、この蓋体筒部２６の一端を覆う覆板２７、および、この覆板２７に形成されている前述の排出口１４を具備している。蓋体筒部２６の端部は内径が大きくなっているとともに、その内周面に雌ネジ部２８が形成されている。また、雌ネジ部２８の付け根部側（すなわち、サイド）には、内周に沿って凹溝２９がリング状に形成されている。凹溝２９は蓋体筒部２６の径方向に内側に向かって開口している。そして、この凹溝２９には、Ｏリング３１が嵌め込まれ、Ｏリング３１の一部が凹溝２９の開口部から突出する。キャップ１６の材質はプラスチックなど適宜選択される。
【００１８】
そして、実施の第２の形態の健康器具１１を使用する際には、健康器具１１の本体１２内に水などの液体や食料品などの固形物を適宜収納し、蓋体１３およびキャップ１６で蓋をする。この本体１２と蓋体１３とが結合された状態において、本体筒部２１および蓋体筒部２６の外径は、実施の第１の形態と同様に、軸線方向に略全長にわたって略同じであり、かつ、その外表面は、凸凹がなく滑らかである。また、本体１２と蓋体１３とは、Ｏリング３１により液密に連結される。また、凹溝２９は蓋体筒部２６の径方向に開口しており、凹溝２９内のＯリング３１は、蓋体筒部２６に本体筒部２１が螺合した際に、本体筒部２１により蓋体筒部２６および本体筒部２１の径方向に圧縮される。それにともなって、Ｏリング３１は蓋体筒部２６および本体筒部２１を径方向に押圧する。その結果、蓋体筒部２６の本体筒部２１に対する回転に摩擦力を付加することができ、健康器具１１を転がしている最中に、蓋体１３が本体１２から外れることを極力防止することができる。そして、健康器具１１の外径（直径）は１００〜２００ｍｍで、かつ、健康器具１１の軸線方向の長さ（すなわち、螺合して結合された本体筒部２１および蓋体筒部２６の長さ）は、３００〜５００ｍｍである。
【００１９】
また、図４（ｃ）に図示する変形例として、凹溝２９を設けないで、雌ネジ部２８の付け根の段部４１にＯリング４２を配設することも可能である。ただし、この場合には、蓋体筒部２６の本体筒部２１に対する回転に摩擦力を付加することができないので、図４（ｂ）の様に構成することが好ましい。
【００２０】
そして、健康器具１１に収納された液体は、キャップ１６を外して、簡単に外部に排出することができる。また、健康器具１１に収納された固形物などは、蓋体１３を外して、外部に取り出すことができる。
【００２１】
この様に構成されている実施の第２の形態の健康器具１１も、実施の第１の形態の健康器具１と同様に、健康器具１１を床３に転がし、その上に人６が背中または腰を載せた状態で仰向けに寝ころがる。そして、人６は、仰向けの状態で健康器具１１を転がしながら往復動し、背中や腰を伸ばす。
【００２２】
次に、本発明における健康器具の実施の第３の形態について図５を用いて説明する。図５は実施の第３の形態の説明図で、（ａ）が軸に沿って切断した断面図、（ｂ）が軸に垂直に切断した断面図である。
【００２３】
前述の実施の第１の形態や実施の第２の形態では、健康器具１，１１の表面が固く、健康器具１，１１を使用する人が痛く感じることある。そこで、実施の第３の形態の健康器具５１では、実施の第１の形態の健康器具１の外表面に緩衝材５２を装着して覆っている。
【００２４】
健康器具５１は、円筒パイプ状の本体５３および、この本体５３の外周面を覆う緩衝材５２を備えている。本体５３は、実施の第１の形態の健康器具１と略同じ構造をしている。そして、緩衝材５２は、ゴムなどの弾性材マットや厚手の布などの柔軟材からなっており、接着材などで本体５３の外周面に装着されている。そして、健康器具５１の外径（直径）（すなわち、緩衝材５２の外径）は１００〜２００ｍｍで、かつ、健康器具５１の軸線方向の長さ（すなわち、本体５３の長さ）は、３００〜５００ｍｍである。
【００２５】
この様に構成されている実施の第３の形態の健康器具５１も、実施の第１の形態の健康器具１と同様に、健康器具５１を床３に転がし、その上に人６が背中または腰を載せた状態で仰向けに寝ころがる。そして、人６は、仰向けの状態で健康器具５１を転がしながら往復動し、背中や腰を伸ばす。また、緩衝材５２が設けられているため、痛く感じることを極力防止することができる。
【００２６】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
【００２７】
（１）実施の第１の形態の健康器具１および実施の第３の形態の本体５３は円筒パイプであるが、その形状は適宜変更可能で、中実または中空の円柱状であればよい。
（２）健康器具の円柱部分は、外径が軸線方向に略全長（約９５％以上）にわたって略同じである。ただし、端部は面取りすることも可能である。
【００２８】
（３）仰向けになって使用しているが、腹這いで使用することも可能である。
（４）腰痛、肩凝りや筋肉痛などの対策、疲労回復、血行不良の改善、健康維持、スポーツ前の準備運動、および、スポーツ後のクーリング運動などに使用することが可能である。
（５）凹溝は蓋体筒部に設けられているが、本体筒部側に設けることも可能である。また、凹溝はネジ部の付け根部側に設けられているが、ネジ部のサイドに設けられていれば良く、ネジ部の先端側に設けられることも可能である。ただし、ネジ部の付け根側が好ましい。さらに、本体筒部に蓋体筒部が覆い被さる状態で螺合しているが、本体筒部が蓋体筒部の外側から螺合するように構成することも可能である。
【００２９】
（６）実施の第３の形態の緩衝材５２は略均一な厚みであるが、緩衝材５２の厚みを不均一にして凸凹を付けることも可能である。
（７）緩衝材５２を、実施の第２の形態の本体筒部２１および蓋体筒部２６の外周面に設けて、緩衝材５２で覆うことも可能である。
（８）緩衝材５２は、本体５３の外周面や、本体筒部２１および蓋体筒部２６の外周面の全体を覆うことも可能であるし、また、部分的に覆うことも可能である。
【００３０】
【発明の効果】
本発明によれば、背中または腰を載せた状態で仰向けに寝ころがって使用される健康器具が剛性を有する円柱状であるので、この健康器具を転がしながら往復動して、背中や腰を伸ばすことができる。その結果、腰痛などの症状を改善させることができる。しかも、健康器具の外表面が凸凹がなく滑らかであるため、へたに指圧されることがなく、腰痛などの症状が悪化することを極力防止することができる。そして、球ではなく円柱状であり、安定しているため、高齢者なども安心して使用することができる。かつ、剛性を有しているので変形せず、円滑に転がすことができる。
【００３１】
また、有底円筒状の本体と、この本体の開口面を蓋する蓋体と、この蓋体の排出口を蓋するキャップを備えているので、液体や固形物を収納して、重量を変更することができる。したがって、健康器具を使用する人に合わせて健康器具の重量を変更することができるとともに、非常用の飲料水や食料を保管することができる。
【００３２】
さらに、本体筒部または蓋体筒部の少なくとも一方のネジ部のサイドに、本体筒部または蓋体筒部の径方向に向かって開口する凹溝がリング状に形成され、本体筒部に蓋体筒部を螺合した際に、凹溝に嵌め込まれたＯリングが圧縮されて蓋体筒部の本体筒部に対する回転に摩擦力を付加しているので、健康器具を転がして使用している最中に、蓋体が本体から外れることを極力防止することができる。
【００３３】
健康器具の外周面が緩衝材で覆われているので、健康器具を使用する人が痛みを感じることを極力防止することができる。
【図面の簡単な説明】
【図１】図１は本発明における健康器具を用いて腰痛などを直す際の説明図である。
【図２】図２は実施の第１の形態の健康器具の斜視図である。
【図３】図３は実施の第１の形態の健康器具の断面図である。
【図４】図４は実施の第２の形態の説明図で、（ａ）が断面図、（ｂ）が（ａ）の要部拡大図、（ｃ）が変形例の図である。
【図５】図５は実施の第３の形態の説明図で、（ａ）が軸に沿って切断した断面図、（ｂ）が軸に垂直に切断した断面図である。
【符号の説明】
Ｌ  健康器具の長さ
Ｒ  健康器具の外径
１  健康器具
２  健康器具の軸線
３  床
１１  健康器具
１２  本体
１３  蓋体
１４  排出口
１６  キャップ
２１  本体筒部
２２  底板
２６  蓋体筒部
２７  覆板
２８  雌ネジ部
２９  凹溝
３１  Ｏリング
５１  健康器具
５２  緩衝材
５３  本体
【図１】
2004305232.tif 000003
【図２】
2004305232.tif 000004
【図３】
2004305232.tif 000005
【図４】
2004305232.tif 000006
【図５】
2004305232.tif 000007